(57)【要約】【課題】アルミ軽合金製ケースとされたガスメータが、火災による高熱にさらされ、溶融変形するようなことがあっても、落下するのを防止し、ガス漏れによる火災の拡散や有毒ガスの発生を防止することを課題とする。【解決手段】ガスメータ１に接続された金属管２、３に耐熱性のある金属製の取付け金具４を介して、耐熱性のある金属製の支持部材５を取付け、支持部材５によりガスメータ１を支持させてなる。【選択図】図１
2004138512.tif 000002
【特許請求の範囲】
【請求項１】
ガスメータに接続された金属管に耐熱性のある金属製の取付け金具を介して、耐熱性のある金属製の支持部材を取付け、該支持部材により前記ガスメータを支持させたことを特徴とするガスメータの支持構造。
【請求項２】
請求項１におけるガスメータに接続された二本の金属管の間に架設された金属製繋ぎ板に、耐熱性のある金属製の支持部材を取り付け、該支持部材によりガスメータを支持させたことを特徴とするガスメータの支持構造。
【発明の詳細な説明】
【０００１】
【発明の属する技術分野】
本発明はガスメータの支持構造に関する。
【０００２】
【従来の技術】
建物内へのガス管引き込み部には、ガスの使用量を測定するためのガスメータが一般に設けられる。
【０００３】
このガスメータ１は、図８に示すように外部からガスメータへとガスを供給する金属管２と、ガスメータ１からガスを導出し建物内へと送る金属管３とを支持部材として、これら金属管２、３にガスメータ１を支持する構造とする場合が多い（特許文献１参照）。
【０００４】
【特許文献１】
特開２０００−３４６６９１号公報　図２
【０００５】
【発明が解決しようとする課題】
ところで、このガスメータ１は、近年、軽量化などを目的としてケースをアルミ合金製や亜鉛合金製とすることが多い。このため、ガスメータ１のケースは、火災などの高温にさらされると溶融変形し、特に金属管２、３に対する取付け部分が加熱溶融すると自重で落下してしまい、接続していた金属管２、３が抜け外れてガスが噴出し、このガスに引火して火災をひどくしてしまうことがある問題があった。
【０００６】
特に、ガスメータ１が集合ビルなどの換気性の悪い場所などに設置してあり、なおかつそのような場所に火災が発生した場合は、不完全燃焼による一酸化炭素ガスと煤塵とが大量発生し悲惨な結果となる場合がある。
【０００７】
この発明は、上記問題を解消し、アルミ合金製や亜鉛合金製ケースとされたガスメータが、火災による高熱にさらされ、溶融変形するようなことがあっても、落下するのを防止し、ガス漏れによる火災の拡散や有毒ガスの発生を防止することを課題としてなされたものである。
【０００８】
【課題を解決するための手段】
この目的を達成するため請求項１の発明は、ガスメータに接続された金属管に耐熱性のある金属製の取付け金具を介して、耐熱性のある金属製の支持部材を取付け、該支持部材により前記ガスメータを支持させたことを特徴とするものである。
【０００９】
ガスメータに接続された金属管は、アルミ合金や亜鉛合金に比べれば遥かに耐熱性のある金属管とされる。
したがって、この金属管を支持部材として、耐熱性のある金属製の取り付け金具を介してガスメータを支持させれば、火災による高熱にさらされてガスメータが溶融軟化しても取り付け金具で支えられ、自重により変形落下するのが防止でき、ガス漏れ事故もそれだけ防ぐことができる。
【００１０】
請求項２の発明は、請求項１のガスメータの支持構造におけるガスメータに接続された二本の金属管の間に架設された金属製繋ぎ板に、耐熱性のある金属製の支持部材を取り付け、該支持部材によりガスメータを支持させたことを特徴とするものである。
【００１１】
この場合は、二つの金属管、例えばガスメータにガスを供給する金属管とガスメータからガスを導出する金属管との間に架設した繋ぎ板を支持材として、ガスメータを耐熱性のある金属製の支持部材で支持させたもので、火災による高熱にさらされてガスメータが溶融軟化しても自重により変形落下するのが防止でき、ガス漏れ事故もそれだけ防ぐことができる。
【００１２】
【発明の実施の形態】
（実施の形態１）
図１は、本発明の実施の形態１のガスメータの支持構造の正面図である。
【００１３】
図１において、ガスメータ１はアルミ合金や亜鉛合金製とされ、軽量化されている。
このガスメータ１にガスを供給する金属管２とガスメータ１からガスを導出する金属管３が接続され、金属管２、３に取付金具４、４が取り付けられている。なお、この金属管２、３は鉄管などとされ、アルミ合金や亜鉛合金に比べ遥かに高い耐熱性を有している。
【００１４】
この金属管２、３に取付けられる取付金具４、４は、図２に示すように金属管２、３外周を囲むように半円状のバンド部材４ａ、４ｂを外周の一箇所でヒンジ４ｃにより開閉可能に連接し、他側をビス、ボルトナットなどの締結部材４ｄにより固定可能とされ、この固定側端に支持部材５を固定できる支持部４ｅが設けられて構成されている。
【００１５】
支持部材５は、全体がステンレスなどの耐食耐熱性の金属より形成され、ガスメータ１の下辺部をめぐるＵ字状の曲折部材とされ、両端にそれぞれナット６がねじ嵌合可能とされ、このナット６を締結することにより支持部材５が取付金具４、４に取り付け固定できるようにされている。なお、図中７はナット６に対応した止めナットである。
【００１６】
次に、この実施の形態１のガスメータの支持構造の組立、ならびに作用を説明する。
まず、既存のガスメータ１を支持する金属管２、３の外周に、バンド部材４ａ、４ｂを巻きつけるようにして配置し、他端部を締結部材４ｄで締付け固定して取付金具４を取付固定する。
【００１７】
次いで、ガスメータ１の下方からＵ字状をなす支持部材５を当てがい、上端を取付金具４の支持部４ｅにかかり合わせ、ナット６を締め付けることで、図１に示したように支持部材５をガスメータ１下方から支持するように取り付ける。
【００１８】
従って、ガスメータ１は、金属管２、３に、取付金具４、支持部材５を介して支持されることとなり、もし、火災による高熱にさらされ、ガスメータ１のケースが溶融してもその落下は支持部材５で支えられ金属管２、３がガスメーター１から外れることによるガス漏洩、これに対する引火が防止されるのである。
【００１９】
図３は、実施の形態１のガスメータの支持構造の他の構成例を示す正面図であり、金属管２、３がガスメータ１の両側に配置された場合のものである。
すなわち、両側の金属管２、３に取付金具４、４が取付けられ、その取付金具４、４にガスメータ１の中間部（図３（ａ））あるいは底辺（図３（ｂ））を支持する支持部材５が取付けられたものである。
【００２０】
この場合は、特に図３（ｂ）に示した場合は、支持部材５の形状が単純でよいので実施が容易となる。
ただし、ガスメータ１に対する金属管２、３の配管が図４に示すように両者の方向が異なる場合は、図１に示したような手段による取付け構造となる。
【００２１】
（実施の形態２）
図５は、実施の形態２のガスメータの支持構造の正面図、図６は支持部材の斜視図である。
【００２２】
この実施の形態２のガスメータの支持構造は、既存のガスメータ１へガスを供給する金属管２と、ガスメータ１からガスを導出する金属管３に直接支持部材５を取付るのに代えて、金属管２、３間に架設された金属製繋ぎ板８に、耐熱性のある金属製の支持部材５を取り付け、ガスメータ１を支持したものである。
【００２３】
即ち、金属製繋ぎ板８も金属管２、３と同様耐熱性金属により成形され、この繋ぎ板８に対し耐熱性金属製とされた支持部材５が取り付けられている。
この実施の形態２における支持部材５は、上端にかぎ状に形成した係止部５ａを有する耐熱金属製ロッド５ｂの下端に、ガスメータ１の下面を支持する受部５ｃを形成した部材を、ガスメータ１の幅方向に平行に２本配置し、両者を互いに架設部材５ｄで連接して形成されている。
【００２４】
従って、この実施の形態２のガスメータの支持構造の場合は、金属製繋ぎ板８に支持部材５を、図示のようにガスメータ１の裏面側から係止部５ａを引っ掛けて取り付ければ、以後は、火災などによる高熱にさらされても、ケースの溶融による変形が防止される。
【００２５】
なお、図７は、実施の形態２の他の構成例の斜視図であり、支持部材５の形状を一本の耐熱金属製ロッド５ｂの上下端に幅広とした係止部５ａならびに受部５ｃを形成したものである。
【００２６】
【発明の効果】
以上のように本発明によると、ガスメータは、耐熱性のある金属管に取付金具を介して取り付けた支持部材で支えられるので、仮にガスメータのケースの材質がアルミ合金製や亜鉛合金製の耐熱性の低いもので、熱により溶融軟化しても落下するのが防止され、ガス漏れ、引火が有害ガスの発生が防止され、火災時の二次的災害が防止できる。
【００２７】
しかも、ガスメータを支えるための取付金具および支持部材は、簡単な構造で、容易かつ安価に製造でき実施も容易であるなどの効果を有する。
また、既存のガスメータに対して容易に実施できるので、公共の安全にも寄与できるなどの効果を有する。
【図面の簡単な説明】
【図１】本発明の実施の形態１のガスメータの支持構造の正面図である。
【図２】実施の形態１のガスメータの支持構造の取付け金具の斜視図である。
【図３】本発明の実施の形態１の他の構成例の正面図であり、（ａ）はケース中央部を支持した場合、（ｂ）はケース底辺を支持した場合を示す。
【図４】本発明の実施の形態１のさらに他の構成例を示す正面図である。
【図５】実施の形態２のガスメータの支持構造の正面図である。
【図６】実施の形態２のガスメータの支持構造の支持部材の斜視図である。
【図７】実施の形態２の他の構成例の斜視図である。
【図８】従来例のガスメータの説明図である。
【符号の説明】
１　　ガスメータ
２　　金属管
３　　金属管
４　　取付金具
５　　支持部材
６　　ナット
８　　繋ぎ板
【図１】
2004138512.tif 000003
【図２】
2004138512.tif 000004
【図３】
2004138512.tif 000005
【図４】
2004138512.tif 000006
【図５】
2004138512.tif 000007
【図６】
2004138512.tif 000008
【図７】
2004138512.tif 000009
【図８】
2004138512.tif 000010